(57)【要約】  【課題】ネットワーク複合機本体の操作でファクス送信を実行した場合に、ユーザが端末装置で送信が完了したことを簡単に知ることができるネットワーク複合機を提供する。  【解決手段】ログインキーが押下されると、ユーザ情報一覧リストが表示される（ステップ105）ので、該当するユーザ名を選択することによりログインすることができる。このリストでユーザ名が選択された後、スタートキーが押下されると、ファクス送信が実行される（ステップ108）。そして、送信が完了すると、通信結果通知の設定が有効の場合、通信結果がログインしているユーザに通知され（ステップ111）、また、送信情報保存の設定が有効の場合、送信情報と送信画像が機器内部に記憶される（ステップ113、114）。  【選択図】図６
2006135597.tif 000002
【特許請求の範囲】
【請求項１】
端末装置と通信ネットワークを介して接続されるネットワーク複合機であって、
ユーザを選択する選択手段と、ファクス送信を制御する制御手段を備え、上記選択手段によりユーザが選択された場合、機器本体からのファクス送信時に、上記制御手段がファクス送信の送信完了を上記選択されたユーザに通知することを特徴とするネットワーク複合機。
【請求項２】
請求項１に記載されたネットワーク複合機において、送信完了を通知するか否かを機器本体に設定できることを特徴とするネットワーク複合機。
【請求項３】
請求項１に記載されたネットワーク複合機において、送信完了通知時に、上記制御手段が通信結果をメールで通知することを特徴とするネットワーク複合機。
【請求項４】
請求項１に記載されたネットワーク複合機において、送信完了通知時に、上記制御手段が通信結果を端末装置のモニタ画面にポップアップ表示することを特徴とするネットワーク複合機。
【請求項５】
請求項１に記載されたネットワーク複合機において、送信情報と送信原稿を記憶する記憶手段を備え、上記制御手段がファクス送信完了時に、相手先情報、通信結果等の送信情報及び送信原稿を上記記憶手段に記憶することを特徴とするネットワーク複合機。
【請求項６】
請求項５に記載されたネットワーク複合機において、送信情報及び送信画像を保存するか否かを機器本体に設定できることを特徴とするネットワーク複合機。
【発明の詳細な説明】
【技術分野】
【０００１】
本発明はパーソナルコンピュータ（以下、パソコンという）などの端末装置とＬＡＮなどの通信ネットワークを介して接続されるネットワーク複合機に関する。
【背景技術】
【０００２】
近時、オフィスなどにおいて、ファクシミリスステムが普及してきており、データ通信上有益な役割を果たしている。このようなシステムは、例えば、ＬＡＮなどの通信ネットワークにより、ネットワーク複合機や端末装置いわゆるクライアントパソコンなどを接続して構成されており、ネットワーク複合機は、ファクシミリ受信したデータをクライアントパソコンに転送したり、クライアントパソコンから転送先を指定したデータを受信すると、受信したデータを指定された転送先に送信するようになっている。
【０００３】
このようなネットワーク複合機は、ウェブブラウザ機能を有するネットワークボードを備え、ネットワーク複合機本体で操作を行ったファクシミリやインターネット・ファクシミリの送受信の履歴、登録されたユーザの一覧、通信予約の一覧、ダイヤル一覧などをクライアントパソコンのモニタ画面に表示し、ユーザがネットワーク複合機の内部情報を参照できるようになっている（例えば、特許文献１参照。）。
【特許文献１】特開２００２−１３５５００号公報
【発明の開示】
【発明が解決しようとする課題】
【０００４】
上記のように、従来のネットワーク複合機は、ネットワーク複合機本体の操作でファクス送信やインターネット・ファクス送信を実行した場合、ユーザはパソコンのモニタ画面に表示されたブラウザ画面からログインし、ファクス通信履歴やインターネット・ファクス通信履歴で通信結果を確認することができるが、送信が完了したか否かを知りたい場合も、ユーザはわざわざブラウザ画面を開いて通信結果を見なければならず、手間がかかるという問題があった。
【０００５】
また、上記のブラウザ画面の通信履歴に表示されるのは、「正常」、「異常」等の通信結果だけであるので、どのような画像が送られたのかを確認することができず、また、送信後に再度同じ文書を別の宛先に送ろうとした場合、あるいは、同一人に再送信しようとした場合には、原稿を再度スキャンし送信する必要があり、手間と時間がかかるという問題もあった。
【０００６】
本発明は、上記の問題に鑑みてなされたもので、ネットワーク複合機本体の操作でファクス送信を実行した場合に、ユーザが端末装置で送信が完了したことを知ることができるとともに、送信した画像データを容易に再利用することができるネットワーク複合機を提供することを目的とする。
【課題を解決するための手段】
【０００７】
上述の目的を達成するため、請求項１に係る発明のネットワーク複合機は、端末装置と通信ネットワークを介して接続されるネットワーク複合機であって、ユーザを選択する選択手段と、ファクス送信を制御する制御手段を備え、上記選択手段によりユーザが選択された場合、機器本体からのファクス送信時に、上記制御手段がファクス送信の送信完了を上記選択されたユーザに通知することを特徴とする。
また、請求項２に係る発明のネットワーク複合機は、請求項１に記載されたネットワーク複合機において、送信完了を通知するか否かを機器本体に設定できることを特徴とする。
【０００８】
さらに、請求項３に係る発明のネットワーク複合機は、請求項１に記載されたネットワーク複合機において、送信完了通知時に、上記制御手段が通信結果をメールで通知することを特徴とし、請求項４に係る発明のネットワーク複合機は、請求項１に記載されたネットワーク複合機において、送信完了通知時に、上記制御手段が通信結果を端末装置のモニタ画面にポップアップ表示することを特徴とする。
【０００９】
また、請求項５に係る発明のネットワーク複合機は、請求項１に記載されたネットワーク複合機において、送信情報と送信原稿を記憶する記憶手段を備え、上記制御手段がファクス送信完了時に、相手先情報、通信結果等の送信情報及び送信原稿を上記記憶手段に記憶することを特徴とする。
さらに、請求項６に係る発明のネットワーク複合機は、請求項５に記載されたネットワーク複合機において、送信情報及び送信画像を保存するか否かを機器本体に設定できることを特徴とする。
【発明の効果】
【００１０】
請求項１〜４に係る発明のネットワーク複合機によれば、機器本体からのファクス送信時にユーザを選択することにより、ファクス送信の送信完了がメールまたはポップアップ表示により選択されたユーザに通知されるので、ユーザが送信操作完了後自席に戻っても、ファクス送信が完了したことを簡単に知ることができる。
【００１１】
また、請求項５、請求項６に係る発明のネットワーク複合機によれば、送信完了時に、相手先情報、通信結果及び送信原稿が機器本体に保存され、上記のポップアップ画面、あるいはウェブブラウザ画面から送信原稿を端末装置のモニタ画面に表示することができるので、どのような原稿を送信したかを簡単に確認できるとともに、その画像を利用して別の宛先にファクス送信したり、あるいは再送信を行うことができる。
【実施例】
【００１２】
以下、本発明のネットワーク複合機の実施例について、図面を用いて説明する。図１はネットワーク複合機を備えたシステムのネットワーク構成例を示す図であり、図２はネットワーク複合機のハードウェア構成を示すブロック図である。
【００１３】
図１に示すネットワーク構成図において、１はネットワーク複合機、２、３、４・・・はパソコン、５は公衆交換電話網（ＰＳＴＮ）、６はＬＡＮ（Local Area Network）、７はインターネット網である。ネットワーク複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、ネットワーク複合機１はこのインターネット網７を介してメールの送受信を行うことが可能である。
【００１４】
図２はネットワーク複合機１の制御系の構成を示す概略ブロック図であり、図に示すように、ネットワーク複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、ネットワークボード２１及びＬＡＮインターフェース（Ｉ／Ｆ）２２から構成され、各部がバス２３を介して接続されている。
【００１５】
ＣＰＵ１１はバス２３を介してネットワーク複合機１のハードウェア各部を制御するとともに、ＲＯＭ１２に記憶されたプログラムに基づいて各種のプログラムを実行し、ＲＯＭ１２はネットワーク複合機の動作に必要な種々のプログラムや操作メッセージ等を予め記憶している。また、ＲＡＭ１３はＳＲＡＭ等で構成され、プログラムの実行時に発生する一時的なデータを記憶する。
【００１６】
表示・操作部１４は、デジタル複合機の動作状態を表示したり、種々の機能の操作画面の表示を行う表示部と、デジタル複合機を操作するための複数のキーよりなり、図３に示すように、表示部を構成するＬＣＤ表示部３１と多数の操作キーから構成されている。ＬＣＤ表示部３１には、タッチパネルスイッチが配設され、ＬＣＤ表示部３１に表示された項目部分を押下することで、対応する項目の選択や機能の実行を行うことができる。
【００１７】
また、操作キーとして、テンキー３２、スタートキー３３、リセットキー３４、ストップキー３５、複数のワンタッチダイヤルキー３６、十字キー３７、リターンキー３８、セットキー３９、ＦＡＸ切替キー４０、コピー切替キー４１、スキャナ切替キー４２、ログインキー４３等の各種キーが設けられている。ログインキー４３は端末選択手段としてのキーであり、ユーザが自己のパソコンを選択する場合に押下するものである。
なお、ＬＣＤ表示部３１によりこれらの操作キーの一部又は全部を代用することが可能である。
【００１８】
読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、白黒２値に変換したドットイメージデータを出力する。
また、画像メモリ１６は、ＤＲＡＭ等を用いて構成され、送信すべきイメージデータまたは受信したイメージデータあるいは読取部１５で読み取ったイメージデータを記憶し、記録部１７は電子写真方式等のプリンタ装置を備え、受信したデータ、コピー原稿データあるいは外部のパソコンから送信されたプリントデータをプリントアウトするものである。
【００１９】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００２０】
モデム１９はバス２３に接続されており、ファクシミリ通信が可能なファクスモデムとしての機能を有し、このモデム１９は同様にバス２３に接続されたＮＣＵ２０と接続されている。ＮＣＵ２０はアナログ回線の閉結及び開放の動作を行うハードウェアであり、必要に応じてモデム１９をＰＳＴＮ５に接続する。
【００２１】
また、ＬＡＮインターフェース２２はＬＡＮ６に接続され、外部のパソコンからのデータあるいはインターネット網７からの信号をＬＡＮ６を介して受信する一方、ＬＡＮ６に対して信号やデータを送信するものであり、信号変換やプロトコル変換などのインターフェース処理を実行する。
【００２２】
ネットワーク複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７により印刷される。
【００２３】
一方、図４はネットワークボード２１の機能を示す機能ブロック図であり、このネットワークボード２１は図に示すように、ＴＣＰ／ＩＰプロトコル制御部５１、ＨＴＴＰＤ制御部５２、ホームページ管理部５３、画像管理部３４、送信情報管理部５５からなり、これらの各部は、ＣＰＵ、ＲＯＭ、ＲＡＭ等のメモリ、磁気ディスク（ハードディスク）記憶装置等により構成されている。
【００２４】
ＴＣＰ／ＩＰプロトコル制御部５１はＴＣＰ（Transmission  Control  Protocol）／ＩＰ（Internet  Protocol）を制御し、ＨＴＴＰＤ制御部５２は、ＴＣＰ／ＩＰプロトコル制御部５１によるデータストリーム転送機能を用いてＨＴＴＰＤ（Hyper  Text  Transfer  Protocol  Deamon）機能に対する処理を実行し、パソコン２、３、４等のＷＷＷ（World  Wide  Web）ブラウザからの要求を処理する。
なお、ＨＴＴＰＤはＨＴＴＰサーバの機能を提供するデーモンで、ＵＮＩＸ（登録商標）オペレーティング・システム上でウェブサーバを運用する際に使われるものである。
【００２５】
また、ホームページ管理部５３は、ＨＴＴＰＤ制御部５２からのホームページ要求に対応してホームページファイルをＨＴＴＰＤ制御部５２に出力し、画像管理部５４はネットワーク複合機１本体からの操作によるファクス送信画像、スキャン画像、ファクス／メール受信の配信画像等の画像を記憶・保存するととともに、ＨＴＴＰＤ制御部５２からの要求に応じて保存画像の一覧情報をＨＴＭＬ（Hyper Text Markup Language）形式のファイルに変換してＨＴＴＰＤ制御部５２に出力し、かつ、ＨＴＴＰＤ制御部５２から入力された情報を解析して、保存画像の転送、削除等の処理を行う。
【００２６】
一方、送信情報管理部５５はネットワーク複合機１本体からの操作によるファクス送信時に、送信相手先、通信結果等の送信情報を記憶して管理するものであり、図５に示すように、各ユーザ毎に、通信ログを記憶するフォルダ、発信元名称、メールアドレス、ファクス送信時に通信結果をユーザに通知するか否かが設定される通知設定記憶領域、ファクス送信時に送信情報を記憶するか否かが設定される保存設定記憶領域を備えている。上記の通信結果の通知、送信情報の記憶の設定は、ネットワーク複合機１の表示・操作部１４で設定したり、ユーザのパソコンのウェブブラウザ画面から各ユーザが設定することが可能である。
【００２７】
次に、ネットワーク複合機１本体からの操作によるファクス送信、または、インターネット・ファクス送信を実行する場合の作用について図６のフローチャートにより説明する。
ユーザがネットワーク複合機１の読取部１５にファクシミリ送信を行う原稿をセットした後、表示・操作部１４のファクスキー４０を押下すると、ネットワーク複合機１のＣＰＵ１１は図６に示すフローチャートのプログラムを開始し、まず、ログインキー４３が押下されたか否かを判定する（ステップ１０１）。
【００２８】
ログインキー４３が押下されていないと判定した場合、ＣＰＵ１１は送信宛先の入力後、スタートキー３３が押下されたか否かを判定し（ステップ１０２）、スタートキー３３が押下されていないと判定した場合、ステップ１０１に戻り、スタートキー３３が押下されたと判定した場合は、読取部１５にセットされた原稿をスキャンし、ファクス送信またはインターネット・ファクス送信を実行する（ステップ１０３）。次に、ＣＰＵ１１は送信が完了したか否かを判定し（ステップ１０４）、送信が完了すると、プログラムを終了する。
【００２９】
一方、ステップ１０１でログインキー４３が押下されたと判定すると、ＣＰＵ１１は表示・操作部１４のＬＣＤ表示部３１に図７に示す、ユーザ情報一覧リストを表示する（ステップ１０５）。このユーザ情報一覧リストには、図に示すように、登録されているユーザ名が表示されているので、いずれかを押下することにより、そのユーザ名でログインすることができる。
【００３０】
ユーザ情報一覧リストを表示した後、ＣＰＵ１１は、図７のユーザ情報一覧リスト画面でユーザが選択された否かを判定し（ステップ１０６）、いずれかのユーザ名が選択されると、送信宛先の入力後、スタートキー３３が押下されたか否かを判定し（ステップ１０７）、スタートキー３３が押下されたと判定した場合は、読取部１５にセットされた原稿をスキャンし、ファクス送信またはインターネット・ファクス送信を実行する（ステップ１０８）。
【００３１】
次に、ＣＰＵ１１は送信が完了したか否かを判定し（ステップ１０９）、送信が完了すると、ネットワークボード２１の送信情報管理部５５に記憶されている情報を参照することにより、ログインしたユーザの通信結果通知の設定が有効になっているか否かを判定し（ステップ１１０）、通信結果通知の設定が有効になっていると判定した場合、通信結果とログインユーザ情報をＵＤＰ／ＩＰパケットによりＬＡＮインターフェース２２を介してＬＡＮ６にブロードキャスト送信する（ステップ１１１）。
なお、ＵＤＰはＩＰの上位プロトコルで、トランスポート層に属し、ＴＣＰが持っているコネクション管理、応答確認、シーケンス、ウィンドウ制御、フロー制御といった機能を持っていないので、データが確実に相手に届くという保証がないが、負荷が少なく、動作が速い。
【００３２】
そして、各パソコン２、３、４等が上記の通知を受信した場合、通知された内容が自分宛のものであったか否かをログインユーザ情報から判別し、自分宛の通知であった場合には、パソコンのモニタ画面に図８に示すポップアップ画面を表示する。
このポップアップ画面には、図８に示すように、ファクス送信が正常に行われた旨、及び送信情報を表示する「送信情報表示」、ポップアップ画面を閉じる「閉じる」の各指示ボタンが表示されており、ユーザが「送信情報表示」ボタンをクリックすると、モニタ画面に図９に示す送信文書一覧リストが表示される。
【００３３】
この通信結果通知が終了した場合、あるいは、ステップ１１０で通信結果通知の設定が無効になっていると判定した場合、ＣＰＵ１１は、ネットワークボード２１の送信情報管理部５５に記憶されている情報を参照することにより、ログインしたユーザの送信情報保存の設定が有効になっているか否かを判定する（ステップ１１２）。送信情報保存の設定が有効になっていると判定した場合、ＣＰＵ１１は、送信相手先、通信結果等のファクス送信情報をネットワークボード２１の送信情報管理部５５に記憶した（ステップ１１３）後、送信画像をコーデック１８によりＴＩＦＦ形式に変換してネットワークボード２１の画像管理部５４に記憶する（ステップ１１４）。
【００３４】
上記のように、通信情報保存の設定が有効になっていると、過去に送信したファクス文書がネットワーク複合機１の内部に保存されているので、過去に送信したファクス文書を再利用することができ、以下、ユーザが保存されたファクス文書と同じ文書を送信する場合の作用について説明する。
過去に送信したファクス文書を読み出したい場合、ユーザはパソコンのＷＷＷブラウザを起動し、例えば、パソコン２のモニタ画面に表示されたＷＷＷブラウザ画面において、ネットワーク複合機１のＩＰアドレスを指定してアクセスを行うと、ネットワークボード２１のＨＴＴＰＤ制御部５２がこれを検知し、ホームページ管理部５３からＨＴＭＬで記述されたホームページファイルを読み出し、ＴＣＰ／ＩＰプロトコル制御部５１、ＬＡＮインターフェース２２、ＬＡＮ６を介してパソコン２に転送する。
【００３５】
そして、ユーザがこのホームページから文書の一覧表示を選択して指示すると、この一覧表示指示情報がＬＡＮ６を介してネットワーク複合機１に転送され、ネットワークボード２１のＨＴＴＰＤ制御部５２がこれを検知する。これにより、ＨＴＴＰＤ制御部５２が画像管理部５４に文書一覧転送を指示し、画像管理部５４が、送信情報管理部５５から読み出した送信情報と、画像管理部５４に保存されている送信画像データ及びその他の保有画像情報に基づいて保存文書の一覧情報を作成し、ＨＴＭＬ形式のファイルに変換してパソコン２に転送する。
これにより、パソコン２のモニタ画面に図９に示す文書一覧リスト画面が表示される。
【００３６】
図９に示すように、この文書一覧リスト画面の上部には、スキャン画像、送信文書、受信文書、共有受信文書、掲示板、回覧文書、処理依頼文書の切替タブと、「送信」、「再送信」、「プリント」、「ダウンロード」、「削除」、「掲示板」、「回覧」、「処理依頼」等の機能選択ボタンが表示されている。また、文書一覧リスト画面の下部には、送信文書の場合、相手先名、通信結果、文書分類、ページ数、送信日時等が表示されている。さらに、各文書の詳細のボタンをクリックすることにより、パソコンのモニタ画面に当該文書、例えば、送信されたファクス画像が表示されるので、どのような画像を送信したかを確認することができる。
【００３７】
そして、ある文書を同じ相手先にファクス送信またはインターネット・ファクス送信したい場合には、上記の文書一覧リスト画面において、送信したい文書をチェックして「再送信」ボタンをクリックすることにより、当該文書が再度同じ送信相手先に送信される。また、送信した文書をチェックして、「送信」ボタンをクリックすると、送信ダイアログ画面がパソコン２のモニタ画面に表示されるので、同じ文書を他の送信先にファクス送信またはインターネット・ファクス送信することができる。
なお、図８のポップアップ画面で「送信情報表示」をクリックすることにより、図９の文書一覧リスト画面が表示されるので、ポップアップ画面からも送信されたファクス画像の確認を行うことができるとともに、送信した画像を再度同じ送信相手先に送信したり、他の送信先にファクス送信またはインターネット・ファクス送信することが可能である。
【００３８】
以上のように、本発明のネットワーク複合機によれば、ユーザがネットワーク複合機に通信結果の通知を設定しておけば、ネットワーク複合機本体からのファクス送信時にユーザを選択することにより、ファクス送信の送信完了がポップアップ表示により当該ユーザのパソコンに通知されるので、ユーザが送信操作完了後自席に戻っても、ファクス送信が完了したことを容易に知ることができる。
【００３９】
また、ユーザがネットワーク複合機に送信情報の保存を設定しておけば、送信完了時に、相手先情報、通信結果等の送信情報及び送信画像がネットワーク複合機本体に保存され、ポップアップ画面、あるいはウェブブラウザ画面から送信情報をパソコンのモニタ画面に表示することができるので、どのような原稿を送信したかを簡単に確認できるとともに、その画像を利用して別の宛先にファクス送信したり、あるいは再送信を行うことができる。
【００４０】
なお、上記の実施例では、ポップアップ画面に「送信情報表示」ボタンを表示し、文書一覧リスト画面が表示できるようにしたが、ポップアップ画面に「送信画像表示」ボタンを表示し、ファクス送信した画像を表示できるようにすることも可能である。
また、上記の実施例では、ファクス送信の送信完了をユーザのパソコンにポップアップ表示することによりユーザに通知したが、送信情報管理部５５に記憶されているメールアドレス宛にメールすることによりログインしたユーザに送信完了を通知することもできる。
【図面の簡単な説明】
【００４１】
【図１】ネットワーク複合機を備えたシステムのネットワーク構成例を示す図である。
【図２】ネットワーク複合機のハードウェア構成を示すブロック図である。
【図３】ネットワーク複合機の表示・操作部の詳細を示す図である。
【図４】ネットワーク複合機内のネットワークボードの機能ブロック図である。
【図５】ユーザ毎に記憶する送信情報の内容の一例を示す表である。
【図６】ネットワーク複合機本体からの操作によりファクス送信を行う場合の作用を示すフローチャートである。
【図７】ログインキーを押下した場合に表示されるユーザ情報一覧リストの一例を示す図である。
【図８】送信完了時にパソコンのモニタ画面に表示されるポップアップ画面の一例を示す図である。
【図９】文書一覧リスト表示画面の一例を示す図である。
【符号の説明】
【００４２】
１  ネットワーク複合機
２、３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ネットワークボード
２２  ＬＡＮ  Ｉ／Ｆ
２３  バス
４３  ログインキー
５１  ＴＣＰ／ＩＰプロトコル制御部
５２  ＨＴＴＰＤ制御部
５３  ホームページ管理部
５４  画像管理部
５５  送信情報管理部
【図１】
2006135597.tif 000003
【図２】
2006135597.tif 000004
【図３】
2006135597.tif 000005
【図４】
2006135597.tif 000006
【図５】
2006135597.tif 000007
【図６】
2006135597.tif 000008
【図７】
2006135597.tif 000009
【図８】
2006135597.tif 000010
【図９】
2006135597.tif 000011